(57)【特許請求の範囲】
【請求項１】
駆動電動機に連結される粉砕工具としての回転子と、回転子の粉砕空間を包囲する環状ふるいと、環状ふるいの外周に設けられて粉砕された粉砕物を捕集する捕集容器とを持ち、回転子と環状ふるいと粉砕装置とから成る粉砕単位体が、粉砕物入口を持つハウジング蓋により閉鎖可能である遠心粉砕機において、環状の捕集容器（２７）が、その内周に設けられる環状ふるい（２８）に結合され、かつ回転子（８）上にかぶせることができる交換カセツト（２６）として構成され、交換カセツト（２６）が、回転子（１８）を含めて粉砕空間（２５）の上を覆いかつ交換カセツト（２６）から取外し可能なカバー（２９）を持つていることを特徴とする、実験室用遠心粉砕機。
【請求項２】
駆動電動機に連結される粉砕工具としての回転子と、回転子の粉砕空間を包囲する環状ふるいと、環状ふるいの外周に設けられて粉砕された粉砕物を捕集する捕集容器とを持ち、回転子と環状ふるいと粉砕装置とから成る粉砕単位体が、粉砕物入口を持つハウジング蓋により閉鎖可能である遠心粉砕機において、環状の捕集容器（２７）が、その内周に設けられる環状ふるい（２８）に結合され、かつ回転子（１８）を含めて粉砕空間（２５）の上を覆いかつ交換カセツト（２６）から取外し可能なカバー（２９）を持つ交換カセツト（２６）として構成され、交換カセツト（２６）が、カバー（２９）に対向しかつ粉砕空間（２５）及びその中に設けられる回転子（１８）を包囲する底板を持ち、この底板が電動機軸又は回転子軸を受入れる開口を持ち、それにより交換カセツト（２６）が、回転子（１８）と共に電動機軸から取外し可能であることを特徴とする、実験室用遠心粉砕機。
【請求項３】
捕集容器（２７）と環状ふるい（２８）が差込み結合部を介して互いに結合されていることを特徴とする、請求項１又は２に記載の遠心粉砕機。
【請求項４】
交換カセツト（２６）の底板が、底板の上に置かれる回転子（１８）に対する密封ラビリンス（２４）を持つラビリンス板（２２）として構成されていることを特徴とする、請求項２又は３に記載の遠心粉砕機。
【請求項５】
回転子がスリーブ状軸突起により電動機軸上にはめられてこの電動機軸に相対回転しないように固定可能であるものにおいて、回転子（１８）のスリーブ状軸突起（１９）が、その内部に溝（２０）を持ち、電動機軸（１４）に半径方向移動可能に支持される拘束素子（２１）がこの溝（２０）にはまることを特徴とする、請求項１ないし４の１つに記載の遠心粉砕機。
【請求項６】
電動機軸（１４）に設けられる拘束素子が、遠心力の作用で半径方向へ移動可能な玉（２１）として構成されていることを特徴とする、請求項５に記載の遠心粉砕機。
【請求項７】
玉（２１）がばね力により電動機軸（１４）の断面から突出する拘束位置へ予荷重をかけられていることを特徴とする、請求項６に記載の遠心粉砕機。
【発明の詳細な説明】
【０００１】
【産業上の利用分野】
本発明は、駆動電動機に連結される粉砕工具としての回転子と、回転子の粉砕空間を包囲する環状ふるいと、環状ふるいの外周に設けられて粉砕された粉砕物を捕集する捕集容器とを持ち、回転子と環状ふるいと粉砕装置とから成る粉砕単位体が、粉砕物入口を持つハウジング蓋により閉鎖可能である実験室用遠心粉砕機に関する。
【０００２】
【従来の技術】
このような遠心粉砕機は、Ｈａａｎ市のＲｅｔｃｈ  ＧｍｂＨ  ｕｎｄ  Ｃｏ。  ＫＧのカタログに〃ＺＭ１形式の超遠心粉砕機〃（２７ページ）という名称で記載されている。この公知の遠心粉砕機では、鉢状ハウジング部分内で、粉砕工具としての回転子が、そこまで直立して設けられる電動機軸上にはめられ、ねじにより電動機軸に固定されている。回転子の粉砕空間は環状ふるいにより包囲され、この環状ふるいが更に環状の捕集容器により包囲されているので、高い回転速度で回転する回転子により粉砕される粉砕物は、遠心力により環状ふるいを通つて環状の捕集容器へ入る。このように構成される粉砕単位体は、ハウジングに取付けられるハウジング蓋により閉鎖されている。
【０００３】
この公知の遠心粉砕機に伴う欠点として、ハウジング蓋の内側が回転子又は粉砕空間の上を覆う範囲で粉砕空間に属しているので、ハウジング蓋を開くと、ここに付着している粉砕物が失われる可能性がある。即ち粉砕すべき粉砕物の分析の不精確さを防止できない。別の欠点として、公知の遠心粉砕機の掃除に費用がかかる。即ちハウジング蓋を開いた後、環状ふるい捕集容器を順次ハウジングから取外さねばならず、またこれらの部分は完全に別個の部分なので、これらの部分を個々に掃除せねばならない。更に個々の取扱いの際材料損耗がおこる。最後に、回転子を軸に結合するねじをそのつど工具でゆるめるか又は締めねばならないので、回転子の交換も複雑である。
【０００４】
【発明が解決しようとする課題】
従つて本発明の基礎になつている課題は、簡単に取扱い可能な遠心粉砕機を提供することである。
【０００５】
【課題を解決するための手段】
この課題を解決するため本発明によれば、環状の捕集容器がその内周に設けられる環状ふるいに結合され、かつ回転子上にかぶせることができる交換カセツトとして構成され、交換カセツトが回転子を含めて粉砕空間の上を覆いかつ交換カセツトから取外し可能なカバーを持つている。
【０００６】
【発明の効果】
本発明に伴う利点として、交換カセツトは粉砕空間を開くことなく回転子から取外すことができるので、次の粉砕過程のために別の交換カセツトをはめて、遠心粉砕機を運転することができる。粉砕された粉砕物を収容する交換カセツトは、適当な場所でカバーを取外すことによつて開き、内容物を完全に取出すことができる。従つて取扱いが簡単化され、交換カセツトとして構成される一体な部分の掃除も容易である。
【０００７】
本発明の実施態様により、捕集容器と環状ふるいが差込み結合部を介して互いに結合されており、その点で容易に互いに分離可能であると、交換カセツトの掃除が更に容易になる。
【０００８】
更に本発明によれば、環状の捕集容器が、その内周に設けられる環状ふるいに結合され、かつ回転子を含めて粉砕空間の上を覆いかつ交換カセツトから取外し可能なカバーを持つ交換カセツトとして構成され、交換カセツトが、カバーに対向しかつ粉砕空間及びその中に設けられる回転子を包囲する底板を持ち、この底板が電動機軸又は回転子軸を受入れる開口を持ち、それにより交換カセツトが、回転子と共に電動機軸から取外し可能である。
【０００９】
底板の開口に対する回転子軸の密封を回避するため、本発明の実施態様によれば、公知の遠心粉砕機においても粉砕空間の底にあるラビリンス板が底板として構成され、ラビリンス形成部を備えている回転子が密封ラビリンスを構成しながらこのラビリンス板上に載り、従つてラビリンス板が交換カセツトの構成部分をなしている。
【００１０】
公知の遠心粉砕機では回転子がスリープ状軸突起により電動機軸上にはめられてこの電動機軸に相対回転しないように固定可能であるが、回転子の交換を簡単化して取扱いを一層良好にするため、本発明の実施態様によれば、回転子のスリーブ状軸突起が、その内部に溝を持ち、電動機軸に半径方向移動可能に支持される拘束素子がこの溝にはまり、電動機軸に設けられる拘束素子が、遠心力の作用で半径方向へ移動可能な玉として構成されている。本発明の実施態様により、玉がばね力により電動機軸の断面から突出する拘束位置へ予荷重をかけられているのがよい。
【００１１】
【実施例】
図面に本発明の実施例が示されており、この実施例が以下に説明される。
図１に基本構造を示されている遠心粉砕機は本体１０を持ち、ハウジングとしてのつぼ状上部１１がねじ１２により本体１０に取付けられている。本体１０に電動機部分１３がはまり、その直立する電動機軸１４は本体１０から突出して、上部１１へ入り込んでいる。ハウジング装置は、上部１１を覆うハウジング蓋１５により完全にされ、粉砕物入口１７に続くホツパ１６がハウジング蓋１５に設けられている。
【００１２】
電動機軸１４上には回転子１８のスリーブ状突起１９がはめられており、回転子１８と電動機軸１４との結合は図２からわかる。回転子１８の案内のため、本体１０と回転子１８との間に適当なラビリンス突起を持つラビリンス板２２が設けられ、対応するラビリンス形成部２３を持つ回転子１８がラビリンス板２２上で回転する。このラビリンス板２２と回転子１８のラビリンス形成部２３との間に密封ラビリンス２４が構成されて、回転子１８により区画される粉砕空間２５を電動機軸１４に対して密封する。
【００１３】
図２からわかるように、回転子１８はそのスリーブ状突起１９の内部に溝２０を持ち、電動機軸１４に半径方向移動可能に支持されかつばね荷重を受けて外方へ押される拘束素子としての玉２１が、この溝２０へ係合する。高い回転速度で回転する電動機軸１４又は回転子１８のスリーブ状突起１９のため、遠心力によつて外方へ回転子１８のスリーブ状突起１９の溝２０へ押付けられて、回転子１８の確実な拘束を行う。他方回転子１８が静止している場合、適当な引張りにより玉２１を電動機軸１４の断面内へ押込み、それによりスリープ状突起１９を電動機軸１４から引抜くことによつて、回転子１８を電動機軸１４から簡単に引抜くことができる。
【００１４】
図１及び３からわかるように、上部１１へ挿入可能な交換カセツト２６は、外側にある環状の捕集容器２７とその内周に固定される環状ふるい２８とから成り、交換カセツト２６を組立てる際環状ふるい２８が回転子１８又は粉砕空間２５を包囲する。捕集容器２７と環状ふるい２８は、掃除のためなるべく分離可能な差込み結合部により互いに結合されて、交換カセツト２６の一体な取扱いが行われるようにしている。交換カセツト２６は固有の上部カバー２９を備えており、このカバー２９は囲繞密封片３０により捕集容器２７の外縁に対して密封され、更に捕集容器２７を閉鎖しかつ粉砕空間２５の上を覆つて捕集容器２７に固定可能である。
【００１５】
遠心粉砕機を使用する際、交換カセツト２６が上部１１へ挿入され、ハウジング蓋１５が閉鎖され、その際ハウジング蓋１５はその形状により交換カセツト２６のカバー２９を押し、それによりこのカバー２９を動かないように固定する。粉砕物入口１７及びホツパ１６を経て、粉砕すべき粉砕物が粉砕空間２５へ達し、玉２１から成る拘束素子を介して電動機軸１４に結合されかつ高い回転速度で回転する回転子１８により粉砕される。粉砕された粉砕物は環状ふるい２８を経て捕集容器２７へ入る。粉砕作業の終了後ハウジング蓋１５が開かれ、カバー２９により閉鎖されている交換カセツト２６を上部１１から取出し、他の場所で慎重に空にし、掃除することができる。更に回転子１８を交換しようとすれば、拘束素子としての玉２１のため回転子１８を電動機軸１４から簡単に引抜くことができる。
【００１６】
上記の説明、特許請求の範囲及び図面に開示された本発明の特徴は、単独でも任意の組合わせでも、種々の実施態様で本発明を実現するために重要である。
【図面の簡単な説明】
【図１】本発明による遠心粉砕機の機能部分の断面図である。
【図２】電動機軸と回転子との相対回転しない結合部の断面図である。
【図３】交換カセツトの断面図である。
【符号の説明】
１４  電動機軸
１５  ハウジング蓋
１６  粉砕物入口
１８  回転子
２５  粉砕空間
２６  交換カセツト
２７  捕集容器
２８  環状ふるい
２９  カバー
【図１】
0003697593.tif 000002
【図２】
0003697593.tif 000003
【図３】
0003697593.tif 000004